(57)【要約】【課題】  複雑な処理を必要とせずに通信容量の効率的な利用を可能とする画像通信方法、画像通信システム、画像送信装置、および画像受信装置を提供する。【解決手段】  送信装置１５において、符号化手段２１は、階層的符号化方式で画像を符号化することにより複数の階層データを生成する。誤り訂正符号付加手段２２は、最下位の階層データを含む少なくとも１つの階層データの各々について、上位の階層よりも誤り訂正能力の高い誤り訂正符号方式の誤り訂正符号化処理を行う。送信手段２３は、階層データおよび誤り訂正符号の各々を伝送経路に送信する。受信装置において、送信装置１５から受信した階層データの伝送経路で生じた誤りを誤り訂正符号方式によって訂正し、復号に利用できる品質で得られた階層データを復号して画像を復元する。【選択図】      図２
2005079793.tif 000002
【特許請求の範囲】
【請求項１】
送信装置から少なくとも１つの受信装置に画像を送るための画像通信方法であって、
前記送信装置において、
階層的符号化方式で前記画像を符号化することにより複数の階層データを生成するステップと、
最下位の階層データを含む少なくとも１つの前記階層データの各々について、上位の階層よりも誤り訂正能力の高い誤り訂正符号方式の誤り訂正符号化処理を行うステップと、
前記誤り訂正符号化処理を行った階層データを含む複数の前記階層データを前記受信装置に送るステップと、
前記受信装置において、
前記送信装置から受信した前記階層データの伝送経路で生じた誤りを前記誤り訂正符号方式によって訂正するステップと、
復号に利用できる品質で得られた階層データを復号して画像を復元するステップとを有する画像通信方法。
【請求項２】
前記伝送経路はＣＤＭＡ方式が用いられる区間を含む、請求項１記載の画像通信方法。
【請求項３】
前記ＣＤＭＡ方式が用いられる区間では送信電力が可変であり、前記階層データおよび前記誤り訂正符号化処理で生成された誤り訂正符号の各々は互いに同じ送信電力で送信される、請求項２記載の画像通信方法。
【請求項４】
前記伝送経路において、前記階層データおよび前記誤り訂正符号の各々は互いに同じ物理チャネルで送られる、請求項３記載の画像通信方法。
【請求項５】
前記階層データおよび前記誤り訂正符号の各々は同じフレームで伝送される、請求項４記載の画像通信方法。
【請求項６】
階層的符号化方式で画像を符号化することにより複数の階層データを生成し、前記最下位の階層データを含む少なくとも１つの前記階層データの各々について、上位の階層よりも誤り訂正能力の高い誤り訂正符号方式の誤り訂正符号化処理を行い、前記誤り訂正符号化処理を行った階層データを含む複数の前記階層データを伝送経路に送信する送信装置と、
前記送信装置から受信した前記階層データの前記伝送経路で生じた誤りを前記誤り訂正符号方式によって訂正し、復号に利用できる品質で得られた階層データを復号して画像を復元する少なくとも１つの受信装置とを有する画像通信システム。
【請求項７】
前記伝送経路のＣＤＭＡ方式が用いられる区間に前記階層データおよび前記誤り訂正符号の各々を送信する基地局装置をさらに有し、
前記受信装置は前記基地局装置から前記ＣＤＭＡ方式が用いられる区間を介して前記階層データおよび前記誤り訂正符号を受信する端末装置である、請求項６記載の画像通信システム。
【請求項８】
前記ＣＤＭＡ方式が用いられる区間では送信電力が可変であり、前記基地局装置は、前記階層データおよび前記誤り訂正符号化処理で生成された誤り訂正符号の各々を互いに同じ送信電力で送信する、請求項７記載の画像通信システム。
【請求項９】
前記伝送経路において、前記階層データおよび前記誤り訂正符号の各々は互いに同じ物理チャネルで送られる、請求項８記載の画像通信システム。
【請求項１０】
前記階層データおよび前記誤り訂正符号の各々は同じフレームで伝送される、請求項９記載の画像通信システム。
【請求項１１】
少なくとも１つの受信装置に画像を送るための画像送信装置であって、
階層的符号化方式で前記画像を符号化することにより複数の階層データを生成する符号化手段と、
前記最下位の階層データを含む少なくとも１つの前記階層データの各々について、上位の階層よりも誤り訂正能力の高い誤り訂正符号方式の誤り訂正符号化処理を行う誤り訂正符号付加手段と、
前記誤り訂正符号化処理を行った階層データを含む複数の前記階層データを伝送経路を介して前記受信装置に送る送信手段とを有する画像送信装置。
【請求項１２】
前記伝送経路はＣＤＭＡ方式が用いられる区間を含む、請求項１１記載の画像送信装置。
【請求項１３】
前記ＣＤＭＡ方式が用いられる区間では送信電力が可変であり、前記階層データおよび前記誤り訂正符号化処理で生成された誤り訂正符号の各々は互いに同じ送信電力で送信される、請求項１２記載の画像送信装置。
【請求項１４】
前記送信手段は、前記伝送経路に、前記階層データおよび前記誤り訂正符号の各々を互いに同じ物理チャネルで送る、請求項１３記載の画像送信装置。
【請求項１５】
前記送信手段は、前記階層データおよび前記誤り訂正符号の各々を同じフレームで送る、請求項１４記載の画像送信装置。
【請求項１６】
階層的符号化方式で生成された複数の階層データのうち、最下位の階層データを含む少なくとも１つの前記階層データの各々について、上位の階層よりも誤り訂正能力の高い誤り訂正符号方式の誤り訂正符号化処理を行い、前記誤り訂正符号化処理を行った階層データを含む複数の前記階層データを送信装置から伝送経路を介して受信する受信装置であって、
複数の前記階層データを受信する受信手段と、
前記階層データの前記伝送経路で生じた誤りを前記誤り訂正符号方式によって訂正する誤り訂正手段と、
復号に利用できる品質で得られた階層データを復号して画像を復元する復号手段とを有する画像受信装置。
【請求項１７】
前記伝送経路はＣＤＭＡ方式が用いられる区間を含む、請求項１６記載の画像受信装置。
【請求項１８】
前記ＣＤＭＡ方式が用いられる区間では送信電力が可変であり、前記階層データおよび前記誤り訂正符号化処理で生成された誤り訂正符号の各々は互いに同じ送信電力で送信される、請求項１７記載の画像受信装置。
【請求項１９】
前記受信手段は、前記階層データおよび前記誤り訂正符号の各々を前記伝送経路における互いに同じ物理チャネルで受信する、請求項１８記載の画像受信装置。
【請求項２０】
前記受信手段は、前記階層データおよび前記誤り訂正符号の各々を互いに同じフレームで受信する、請求項１９記載の画像受信装置。
【発明の詳細な説明】
【技術分野】
【０００１】
本発明は、画像通信に関し、特に、通信条件の異なる複数の端末に対して同一の画像を送る技術に関する。
【背景技術】
【０００２】
近年、移動通信の分野において画像通信、さらには画像データのブロードキャストまたはマルチキャストの重要性が増している。３ＧＰＰ（３ｒｄ  Ｇｅｎｅｒａｔｉｏｎ  Ｐａｒｔｎｅｒｓｈｉｐ  Ｐｒｏｊｅｃｔ）では、ＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）として画像データのブロードキャストおよびマルチキャストについて検討がなされている。
【０００３】
画像データは、従来の音声に比べてデータ量が大きいため、移動通信の限られた通信容量の中で効率良く転送することが要求される。画像データのブロードキャストあるいはマルチキャストを行う従来のシステムとして、ＣＤＭＡ（Ｃｏｄｅ  Ｄｉｖｉｓｉｏｎ  Ｍｕｌｔｉｐｌｅ  Ａｃｃｅｓｓ）移動通信の基地局から移動端末に、階層的符号化方式を用いて画像を符号化して転送するものがある（例えば、非特許文献１参照）。
【０００４】
非特許文献１によれば、画像は、２つの階層（ベースレイヤ、エンハンスドレイヤ）からなるデータに符号化される。この符号化によって生成される各階層のデータをベースレイヤデータおよびエンハンスレイヤデータと称することとする。ベースレイヤデータは画像を復元する上で重要度の高いデータであり、ベースレイヤデータのみを復号しても画像を得ることができる。しかし、ベースレイヤデータのみから得られる画像は、ベースレイヤデータとエンハンスドレイヤデータの両方を復号して得られる画像に比べて解像度が劣る。
【０００５】
非特許文献１のシステムでは、ベースレイヤデータだけは、セル内の全ての移動端末にて良好に受信できるように大きな電力で送出される。それに対して、エンハンスドレイヤデータは、基地局付近にあるような通信条件の良い移動端末でのみ良好に受信できる程度の小さな電力で送出される。これにより、システムにおけるトータルの送信電力が低減され、ＣＤＭＡ通信における通信容量の効率的な利用が図られる。
【０００６】
図６は、従来の移動通信システムの構成を示すブロック図である。図６を参照すると、従来の移動通信システムは、コアネットワーク（ＣＮ：Ｃｏｒｅ  Ｎｅｔｗｏｒｋ）９１および無線アクセスネットワーク（ＲＡＮ：Ｒａｄｉｏ  Ａｃｃｅｓｓ  Ｎｅｔｗｏｒｋ）９４を有している。ＣＮ９１にはサーバ９５が接続されており、ＲＡＮ９４には移動端末（ＵＥ：Ｕｓｅｒ  Ｅｑｕｉｐｍｅｎｔ）９６，９７が接続可能である。そして、ここでは、サーバ９５からＵＥ９６，９７に画像データをブロードキャストあるいはマルチキャストするものとする。
【０００７】
ＣＮ９１は、移動通信網のコア部であり、通常、複数の交換機（不図示）を含み、任意の通信経路を設定することができる。ＲＡＮ９４は、移動通信網のアクセス部であり、無線ネットワーク制御装置（ＲＮＣ：Ｒａｄｉｏ  Ｎｅｔｗｏｒｋ  Ｃｏｎｔｒｏｌｌｅｒ）９２および基地局装置（Ｎｏｄｅ−Ｂ）９３を含む。Ｎｏｄｅ−Ｂ９３は、自身がカバーするセル内のＵＥ９６，９７と無線で接続し、ＵＥ９６，９７と相手装置（ここではサーバ９５）との通信に無線チャネルを提供する。ＲＮＣ９２は、Ｎｏｄｅ−Ｂ９３に対する各種設定および制御と、ＵＥ９６，９７と相手装置の通信を確立するための呼処理とを行う。
【０００８】
サーバ９５は、ＵＥ９６，９７へ画像データのブロードキャストあるいはマルチキャストを行うとき、重要度の異なる２つの階層からなる符号化方式で画像を符号化する。この符号化によってベースレイヤデータ９８とエンハンスドレイヤデータ９９が生成される。
【０００９】
ベースレイヤデータ９８およびエンハンスドレイヤデータ９９は、ＣＮ９１およびＲＮＣ９２を経由してＮｏｄｅ−Ｂ９３から送出される。その際、ベースレイヤデータ９８とエンハンスドレイヤデータ９９は互いに異なる物理的な無線チャネルで送信される。また、それらの無線チャネルは、階層毎の重要度に応じた互いに異なる送信出力で送信される。ベースレイヤデータ９８は重要度が高いので、エンハンスドレイヤデータ９９よりも送信出力が高い。
【００１０】
ＵＥ９６，９７は、ベースレイヤデータ９８とエンハンスドデータ９９の両方を良好に受信すると、それらの両方を復号に用いて解像度の高い画像を表示する。また、ＵＥ９６，９７は、エンハンスドレイヤデータ９９を良好に受信できず、ベースレイヤデータ９８のみを良好に受信できれば、ベースレイヤデータ９８を復号して解像度の低い画像を表示する。
【００１１】
図６において、ＵＥ９６は、Ｎｏｄｅ−Ｂ９３の付近にあるので通信条件がよく、ベースレイヤデータ９８とエンハンスドレイヤデータ９９の両方を良好に受信できる。一方、ＵＥ９７は、Ｎｏｄｅ−Ｂ９３のセル内にはあるが遠方なので通信条件が悪く、送信出力の高いベースレイヤデータ９８のみ良好に受信できる。その結果、通信条件の良いＵＥ９６は解像度の高い画像を表示でき、通信条件の悪いＵＥ９７も、それに比べて解像度は劣るが画像の表示が可能である。
【００１２】
以上説明したように、従来のシステムは、通信条件の悪いＵＥの画像の表示を確保しつつ、その解像度を下げることにより、トータルの送信電力を低減し、通信容量の効率的な利用を可能にしている。
【非特許文献１】Ｔｄｏｃ  ＭＢＭＳ−００３３，  “Ｓｃａｌａｂｌｅ  Ｍｕｌｔｉｍｅｄｉａ  Ｂｒｏａｄｃａｓｔ  ａｎｄ  Ｍｕｌｔｉｃａｓｔ  Ｓｅｒｖｉｃｅ（ＭＢＭＳ）”，  Ｓａｍｓｕｎｇ  Ｅｌｅｃｔｒｏｎｉｃｓ，  ３ＧＰＰ  ＭＢＭＳ  Ｗｏｒｋｓｈｏｐ，  Ｌｏｎｄｏｎ，ＵＫ，  Ｍａｙ  ６−７，２００２
【発明の開示】
【発明が解決しようとする課題】
【００１３】
図６に示した従来のシステムは、１つの画像がベースレイヤデータとエンハンスドレイヤデータの２つのデータに符号化され、それらが互いに異なるパスで転送されるため、それらをペアとして扱う呼制御が必要となる。そのためにＣＮ９１、ＲＮＣ９２、ＵＥ９６，９７に新たな処理を追加しなければならない。
【００１４】
また、同じ画像のベースレイヤデータとエンハンスドレイヤデータが異なるパスでＣＮ９１を通るので、画像を復号する前に遅延差を吸収する必要がある。また、ＣＮ９１にゲートウェイを介してインターネットが接続され、サーバ９５がインターネットに接続される構成もとりうるが、その構成では遅延差はさらに大きなものとなる。そのため、ＲＮＣ９２またはＵＥ９６，９７に、遅延差を吸収するために一時的にデータを蓄積するバッファが必要となる。また、ＲＮＣ９２またはＵＥ９６，９７には、そのバッファを用いてデータを同期させるための処理が必要となる。
【００１５】
本発明の目的は、複雑な処理を必要とせずに通信容量の効率的な利用を可能とする画像通信方法、画像通信システム、画像送信装置、および画像受信装置を提供することである。
【課題を解決するための手段】
【００１６】
上記目的を達成するために、本発明の画像通信システムは、階層的符号化方式で画像を符号化することにより複数の階層データを生成し、最下位の階層データを含む少なくとも１つの階層データの各々について、上位の階層よりも誤り訂正能力の高い誤り訂正符号方式の誤り訂正符号化処理を行い、誤り訂正符号化処理を行った階層データを含む複数の階層データを伝送経路に送信する送信装置と、
送信装置から受信した階層データの伝送経路で生じた誤りを誤り訂正符号方式によって訂正し、復号に利用できる品質で得られた階層データを復号して画像を復元する少なくとも１つの受信装置とを有している。
【００１７】
したがって、本発明の画像通信システムによれば、送信装置は、階層的符号化方式の各階層データに対して階層が下位になるに従って誤り訂正能力の高い誤り訂正符号を付加して送り、受信装置は、誤り訂正の結果、復号に用いられる品質で得られた階層データを用いて画像を復元するので、伝送経路の通信条件が悪い受信装置については画像の表示を確保しつつ、その画質を下げることによりトータルの送信電力を低減することができる。
【００１８】
また、伝送経路のＣＤＭＡ方式が用いられる区間に階層データおよび誤り訂正符号の各々を送信する基地局装置をさらに有し、
受信装置は基地局装置からＣＤＭＡ方式が用いられる区間を介して階層データおよび誤り訂正符号を受信する端末装置であってもよい。したがって、ＣＤＭＡ通信において送信電力を低減することができる。
【００１９】
また、ＣＤＭＡ方式が用いられる区間では送信電力が可変であり、基地局装置は、階層データおよび誤り訂正符号化処理で生成された誤り訂正符号の各々を互いに同じ送信電力で送信することとしてもよい。したがって、階層的符号化方式を用いて複数の階層データを生成しても、各階層データを階層毎に異なる送信電力に調整する必要がない。
【００２０】
また、伝送経路において、階層データおよび誤り訂正符号の各々は互いに同じ物理チャネルで送られることとしてもよい。したがって、階層的符号化方式を用いても１つの画像を１つの物理チャネルで伝送できる。
【００２１】
また、階層データおよび誤り訂正符号の各々は同じフレームで伝送されることとしてもよい。したがって、階層的符号化方式の階層データ間に遅延差が生じない。
【発明の効果】
【００２２】
本発明によれば、送信装置は、階層的符号化方式の各階層データに対して階層が下位になるに従って誤り訂正能力の高い誤り訂正符号を付加して送り、受信装置は、誤り訂正の結果、復号に用いることのできる品質で得られた階層データを用いて画像を復元するので、伝送経路の通信条件が悪い受信装置については画像の表示を確保しつつ、その画質を下げることによりトータルの送信電力を低減し、消費電力の低減が可能となる。
【００２３】
また、ＣＤＭＡ通信において送信電力を低減することにより通信容量の効率的な利用が可能となる。
【００２４】
また、階層的符号化方式を用いて複数の階層データを生成しても、各階層データを階層毎に異なる送信電力に調整する必要がないので、ＣＤＭＡ通信において処理が容易である。
【００２５】
また、階層的符号化方式を用いても１つの画像を１つの物理チャネルで伝送できるので、複数の物理チャネルを組みとして扱うような呼制御が不要である。
【００２６】
また、階層的符号化方式の階層データ間に遅延差が生じないので、遅延吸収のためのバッファや処理が不要である。
【発明を実施するための最良の形態】
【００２７】
本発明の一実施形態について図面を参照して詳細に説明する。
【００２８】
図１は、本発明の一実施形態の移動通信システムの構成を示すブロック図である。図１を参照すると、本実施形態の移動通信システムは、コアネットワーク（ＣＮ：Ｃｏｒｅ  Ｎｅｔｗｏｒｋ）１１および無線アクセスネットワーク（ＲＡＮ：Ｒａｄｉｏ  Ａｃｃｅｓｓ  Ｎｅｔｗｏｒｋ）１４を有している。ＣＮ１１にはサーバ１５が接続されており、ＲＡＮ１４には移動端末（ＵＥ：Ｕｓｅｒ  Ｅｑｕｉｐｍｅｎｔ）１６，１７が接続可能である。ここでは、サーバ１５からＵＥ１６，１７に画像データをブロードキャストあるいはマルチキャストするものとする。
【００２９】
ＣＮ１１は、移動通信網のコア部であり、通常、複数の交換機（不図示）を含んでおり任意の通信経路を設定することができる。ＲＡＮ１４は、移動通信網のアクセス部であり、無線ネットワーク制御装置（ＲＮＣ：Ｒａｄｉｏ  Ｎｅｔｗｏｒｋ  Ｃｏｎｔｒｏｌｌｅｒ）１２および基地局装置（Ｎｏｄｅ−Ｂ）１３を含む。Ｎｏｄｅ−Ｂ１３は、自身がカバーするセル内のＵＥ１６，１７と無線で接続し、ＵＥ１６，１７と相手装置（ここではサーバ１５）との通信に無線チャネルを提供する。ＲＮＣ１２は、Ｎｏｄｅ−Ｂ１３に対する各種設定および制御と、ＵＥ１６，１７と相手装置の通信を確立するための呼処理とを行う。
【００３０】
図２は、図１に示したサーバの構成を示すブロック図である。図２を参照すると、サーバ１５は、符号化部２１、誤り訂正符号付加部２２、フレーム化部２３、画像入力部２４、および画像記憶部２５を有している。
【００３１】
符号化部２１は、画像入力部２４から入力された画像データ、または画像記憶部２５に記録されている画像データを、階層的符号化方式によって、重要度の異なる２つの階層からなる符号に符号化し、２つの階層のデータを生成する。ここで、階層的符号化方式とは、画像を重要度の異なる複数の階層のデータに符号化する符号化方式である。本実施形態では、階層的符号化方式で符号化された複数階層のデータは、最下位層から任意の階層数のデータを用いて画像を復号することができ、かつ多数の階層を復号に用いる程、良好な画像を復元できるものである。また、ここで、重要度とは、各階層の、画像を復元する上で必要とされる度合いであり、階層的符号化方式において下位層の重要度が高い。本実施形態では、重要度の高い階層がレイヤ１であり、低い階層をレイヤ２であるとする。符号化部２１はレイヤ１データ（図中のＬ１）を誤り訂正符号付加部２２に送り、レイヤ２データ（図中のＬ２）をフレーム化部２３に送る。
【００３２】
これらデータのうち下位層であるレイヤ１データのみを復号しても画像を得ることができる。しかし、レイヤ１データのみから得られる画像は、レイヤ１データとレイヤ２データの両方を復号して得られる画像に比べて画質が劣る。
【００３３】
なお、本実施形態の画像通信で送られる画像は静止画であっても動画であってもよい。また、ここで画質は、静止画または動画の品質を広く指す語であり、例えば解像度や色彩を含む元画像の再現性の他、動画であれば動きの滑らかさ（時間分解能）なども含むものとする。
【００３４】
図３は、階層的符号化方式の一例について説明するための図である。レイヤ１では、所定の解像度で画像が符号化されている。レイヤ２では、レイヤ１の各画素をさらに細分化して高い解像度で画像が符号化されている。レイヤ１データのみを復号しても画像が得られるが、レイヤ１データとレイヤ２データを用いて得られる画像よりも解像度が低い。
【００３５】
誤り訂正符号付加部２２は、符号化部２１からのレイヤ１データに誤り訂正符号（図中のＦＥＣ）を付加してフレーム化部２３に送る。
【００３６】
フレーム化部２３は、誤り訂正符号付加部２２にて誤り訂正符号を付加されたレイヤ１データと、符号化部２１からのレイヤ２データとを結合してフレーム化し、ＣＮ１１に送出する。
【００３７】
図４は、サーバから移動端末へ送られるフレームの構成例を示す図である。図４を参照すると、フレーム内にレイヤ１データ（Ｌ１）およびその誤り訂正符号（ＦＥＣ）とレイヤ２データ（Ｌ２）が含まれている。同一の物理的な無線チャネルでレイヤ１データおよびその誤り訂正符号とレイヤ２データが送られるので、ＣＮ１１、ＲＮＣ１２、Ｎｏｄｅ−Ｂ１３は、画像が複数の階層のデータからなっていることを意識する必要が無く、遅延差の吸収や特別な処理を必要としない。また、レイヤ１データとレイヤ２データが異なる無線チャネルで送られる従来技術のように送信電力を無線チャネル毎に調整する必要が無く、ＲＮＣ１２およびＮｏｄｅ−Ｂ１３の処理が容易である。
【００３８】
レイヤ１データおよびレイヤ２データを含むフレームはＣＮ１１およびＲＮＣ１２を経由してＮｏｄｅ−Ｂ１３から送出される。なお、このとき無線チャネルの送信出力は適切な値に調整されている。
【００３９】
Ｎｏｄｅ−Ｂ１３の付近にある通信状態のよいＵＥ１６は、誤り訂正のあるレイヤ１データに加え、誤り訂正のないレイヤ２データも復号に利用できる品質（例えばエラー無し）で得ることができる。一方、Ｎｏｄｅ−Ｂ１３の遠方にある通信状態の悪いＵＥ１７は、誤り訂正を行うことによりレイヤ１データだけを復号に利用できる品質で得ることができる。
【００４０】
図５は、図１に示した移動端末の構成を示すブロック図である。図４を参照すると、ＵＥ１６は、アンフレーム化部５１、誤り訂正部５２、復号部５３、画像表示部５４、および画像記憶部５５を有している。
【００４１】
アンフレーム化部５１は、サーバ１５からＣＮ１１およびＲＡＮ１４を経由してフレームを受信し、そのフレームから、レイヤ１データおよびその誤り訂正符号と、レイヤ２データとを抽出する。レイヤ１データおよびその誤り訂正符号は誤り訂正部５２に送られる。レイヤ２データは復号部５３に送られる。
【００４２】
誤り訂正部５２は、誤り訂正符号を用いてレイヤ１データの誤り訂正を行い、訂正後のレイヤ１データを復号部５３に送る。
【００４３】
復号部５３は、レイヤ２データが復号に利用できる品質であれば、レイヤ１データおよびレイヤ２データを用いて復号処理を行い、画質の高い画像を画像表示部５４に表示し、あるいは画像記憶部５５に記録する。また、レイヤ２データが復号に利用できる品質でなければ、復号部５３はレイヤ２データを復号に用いず、レイヤ１データのみを復号する。
【００４４】
図１では、ＵＥ１６は、Ｎｏｄｅ−Ｂ１３の付近にあるので通信条件がよく、画質の高い画像を表示できる。また、ＵＥ１７は、Ｎｏｄｅ−Ｂ１３の遠方なので通信条件が悪く、復号の利用できる制度でレイヤ２データを得られないので、レイヤ１データのみを復号することができ、ＵＥ１６に比べて画質は低いが、画像の表示が可能である。
【００４５】
以上説明したように、本実施形態のシステムは、下位のレイヤ１データと上位のレイヤ２データのうち、重要度の高いレイヤ１データのみを誤り訂正符号で訂正可能とすることにより、通信条件の悪いＵＥについては、誤り訂正により画像の表示を確保しつつ、その画質を下げてトータルの送信電力を低減することができるので、消費電力の低減が可能となり、またＣＤＭＡ通信における通信容量の効率的な利用が可能となっている。
【００４６】
なお、本実施形態では、２つの階層のうち重要度の低い階層（レイヤ２）には誤り訂正符号を付与していないが、本発明はこれに限定されない。重要度の低い階層には、重要度の高い階層（レイヤ１）に付与する誤り訂正符号よりも誤り訂正能力の低い誤り訂正符号を付与することとしてもよい。
【００４７】
また、本実施形態の階層的符号化方式として画像を２つの階層のデータに符号化する例を示したが、本発明はそれに限定されず、階層数は複数であればよい。その場合、各階層のデータには、重要度の高い順に誤り訂正能力の高い誤り訂正符号を付与すればよい。
【００４８】
また、本実施形態では図３にて基本的な階層的符号化方式の例を示したが、本発明はそれに限定されず、いかなる階層的符号化方式であってもよい。他の例として、四分木（ｑｕａｄ−ｔｒｅｅ）を用いるものがある。さらに他の例としてプログレッシブＪＰＥＧやインターレースＧＩＦ、ＪＢＩＧを用いても良い。
【００４９】
四分木によれば、画像の縦横の各々が半分に分割され、画像は４つの領域に分割される。全体が一様な領域については分割を終了し、それ以外の領域をさらに４つの領域に分割する。これを繰り返すことにより少ないデータ量で画像を表現することができる。この四分木のツリー構造の浅い部分と深い部分とを階層に分けることにより階層的符号化が可能となる。
【００５０】
また、本実施形態では、図４にて、レイヤ１データ（Ｌ１）、誤り訂正符号（ＦＥＣ）、およびレイヤ２データ（Ｌ２）が同一フレームに含まれる例を示したが、本発明はそれに限定されず、レイヤ１データとレイヤ２データを異なるフレームで順次送ることとしても良い。その場合でも、通信条件の悪いＵＥ１７にて、レイヤ２データは復号に利用できる品質で受信できなくても、レイヤ１データは誤り訂正により、復号に利用できる品質で受信できるので、個別に送信電力を調整する必要が無い。
【００５１】
また、本実施形態では、サーバ１５がＣＮ１１に接続される形態を例示したが、本発明はそれに限定されない。例えば、ＣＮ１１にゲートウェイを介してインターネット等の他のネットワークが接続される構成もとり得るが、本発明はその様な構成にも適用可能である。
【図面の簡単な説明】
【００５２】
【図１】本発明の一実施形態の移動通信システムの構成を示すブロック図である。
【図２】図１に示したサーバの構成を示すブロック図である。
【図３】階層的符号化方式の一例について説明するための図である。
【図４】サーバから移動端末へ送られるフレームの構成例を示す図である。
【図５】図１に示した移動端末の構成を示すブロック図である。
【図６】従来の移動通信システムの構成を示すブロック図である。
【符号の説明】
【００５３】
１１    コアネットワーク（ＣＮ）
１２    無線ネットワーク制御装置（ＲＮＣ）
１３    基地局装置（Ｎｏｄｅ−Ｂ）
１４    無線アクセスネットワーク（ＲＡＮ）
１５    サーバ
１６、１７    移動端末（ＵＥ）
２１    符号化部
２２    誤り訂正符号付加部
２３    フレーム化部
２４    画像入力部
２５    画像記憶部
５１    アンフレーム化部
５２    誤り訂正部
５３    復号部
５４    画像表示部
５５    画像記憶部
【図１】
2005079793.tif 000003
【図２】
2005079793.tif 000004
【図３】
2005079793.tif 000005
【図４】
2005079793.tif 000006
【図５】
2005079793.tif 000007
【図６】
2005079793.tif 000008